(57)【要約】【課題】  誤入力操作時に、補助表示を行う際に、表示する操作メニュー項目数を減らし、再選択操作に時間がかからない操作メニュー画面切替装置を提供する。【解決手段】  操作メニュー画面切替装置は、コントローラ５、表示装置６、入力装置８を有し、コントローラ５は、入力装置８で選ばれた操作メニュー項目にリンクした下階層の操作メニュー画面を表示装置６に表示さる。コントローラ５は、入力装置への誤入力操作を検出する誤入力検出手段９と、誤入力操作検出時に、この誤入力した上階層操作メニュー画面上の操作メニュー項目にリンクした下階層操作メニュー画面に、誤入力操作後の再入力操作で正しいとした上階層操作メニュー画面上の操作メニュー項目を追加表示する画面変更部１０と、を有する。【選択図】図１
2012168594.tif 000002
【特許請求の範囲】
【請求項１】
階層順にリンクされて複数の操作メニュー項目が表示される操作メニュー画面を切り替えて表示する表示装置と、
前記表示装置に表示された操作メニュー画面上の前記複数の操作メニュー項目のうちから特定の操作メニュー項目を選択入力する入力装置と、
前記入力装置からの、上階層操作メニュー画面における前記特定の操作メニュー項目の選択入力操作により、前記上階層操作メニュー画面から前記特定の操作メニュー項目にリンクした下階層操作メニュー画面へと切り替えて前記表示装置に表示させるコントローラと、
を備え、
前記コントローラが、前記入力装置への誤入力操作を検出する誤入力検出手段と、
該誤入力検出手段が前記上階層操作メニュー画面上での誤入力操作を検出したときは、該誤入力した前記上階層操作メニュー画面上の操作メニュー項目にリンクした前記下階層操作メニュー画面に、誤入力操作後の再入力操作で正しいとした前記上階層操作メニュー画面上の操作メニュー項目を追加表示する画面変更部と、
を有する、
ことを特徴とする操作メニュー画面切替装置。
【請求項２】
請求項１に記載の操作メニュー画面切替装置において、
前記誤入力検出手段が所定の収集期間内における誤入力操作の回数が規定回数以上となったと判定したとき、前記画面変更部が前記下階層操作メニュー画面に前記上階層操作メニュー画面の正しい操作メニュー項目を追加する、
ことを特徴とする操作メニュー画面切替装置。
【請求項３】
請求項１又は請求項２に記載の操作メニュー画面切替装置において、
前記誤入力検出手段が所定の収集期間内における誤入力操作の回数が規定回数より少ないとなったと判定したとき、前記画面変更部が前記下階層操作メニュー画面に追加した前記上階層操作メニュー画面の正しい操作メニュー項目を削除する、
ことを特徴とする操作メニュー画面切替装置。
【請求項４】
請求項１乃至請求項３のいずれか1項に記載の操作メニュー画面切替装置を有することを特徴とするナビゲーション・システム。
【請求項５】
階層順にリンクされて複数の操作メニュー項目が表示される操作メニュー画面を切り替えて表示する表示装置と、
前記表示装置に表示された操作メニュー画面上の前記複数の操作メニュー項目のうちから特定の操作メニュー項目を選択入力する入力装置と、
前記入力装置からの、上階層操作メニュー画面における前記特定の操作メニュー項目の選択入力操作により、前記上階層操作メニュー画面から前記特定の操作メニュー項目にリンクした下階層操作メニュー画面へと切り替えて前記表示装置に表示させるコントローラと、
を備えた操作メニュー画面切替装置の操作メニュー画面切替方法において、
前記上階層操作メニュー画面上での誤入力操作を検出したときは、該誤入力した前記上階層操作メニュー画面上の操作メニュー項目にリンクした前記下階層操作メニュー画面に、誤入力操作後の再入力操作で正しいとした前記上階層操作メニュー画面上の操作メニュー項目を追加表示する、
ことを特徴とする操作メニュー画面切替方法。
【発明の詳細な説明】
【技術分野】
【０００１】
本発明は、表示画面に表示した複数の操作メニュー項目のうちから所望の項目を選択操作することにより、その下階層の操作メニュー項目を表示する表示画面へ切替えて表示するようにした操作メニュー画面切替装置および操作メニュー画面切替方法に関する。
【背景技術】
【０００２】
従来の操作メニュー画面切替装置としては、複数の操作メニュー画面を切替えて表示装置に表示する表示制御部と、操作指示を入力する入力部と、この入力部のスイッチ操作を監視するスイッチ操作監視部と、を備えているものが知られている（例えば、特許文献１参照）。
このスイッチ操作監視部は、操作メニュー画面ごとに次の下階層の画面を選択するユーザーの習熟度を判定し、この習熟度に対応して操作メニュー画面に補助表示を追加表示するように表示画面を切替える。すなわち、操作メニュー画面ごとにメニュー項目選択までのスイッチ操作待ち時間を計測して、この計測時間が所定時間を超えたと判定したときは補助表示としてメニュー項目の内容を説明する追加表示をする一方、操作メニュー画面ごとにその画面への戻り操作回数を計数し、この回数が所定数を超えたと判定したときは、補助表示として下階層のメニュー項目を追加表示する。
【先行技術文献】
【特許文献】
【０００３】
【特許文献１】特開２００５−１８２３１３号公報
【発明の概要】
【発明が解決しようとする課題】
【０００４】
しかしながら、上記操作メニュー画面切替装置にあっては、戻り操作回数、すなわち誤入力操作回数が所定回数を超えたときには、補助表示としてメニュー項目の下階層の操作メニュー画面のメニュー項目を追加表示するように上階層の操作メニュー画面を切替る指示を出す構成となっている。この場合、下階層の操作メニューにメニュー項目が複数あると、この戻り操作があったとき、下階層の操作メニューのすべての選択メニューが追加表示されてしまい、必要な表示エリアが著しく拡大してしまって表示が難しくなるだけでなく、再選択操作にも時間がとられてしまうという問題がある
【０００５】
本発明は、上記問題に着目してなされたもので、その目的とするところは、誤入力操作があった場合、ユーザーの操作を助けるための補助表示を行う際に、表示する操作メニュー項目数を減らして表示エリアの問題をなくすとともに、再選択操作に時間がかからないようにした操作メニュー画面切替装置および操作メニュー画面切替方法を提供することにある。
【課題を解決するための手段】
【０００６】
この目的のため、本発明の操作メニュー画面切替装置は、
階層順にリンクされて複数の操作メニュー項目が表示される操作メニュー画面を切り替えて表示する表示装置と、
表示装置に表示された操作メニュー画面上の複数の操作メニュー項目のうちから特定の操作メニュー項目を選択入力する入力装置と、
入力装置からの、上階層操作メニュー画面における特定の操作メニュー項目の選択入力操作により、この上階層操作メニュー画面から特定の操作メニュー項目にリンクした下階層操作メニュー画面へと切り替えて前記表示装置に表示させるコントローラと、
を備え、
コントローラが、入力装置への誤入力操作を検出する誤入力検出手段と、
誤入力検出手段が上階層操作メニュー画面上での誤入力操作を検出したときは、この誤入力した上階層操作メニュー画面上の操作メニュー項目にリンクした下階層操作メニュー画面に、誤入力操作後の再入力操作で正しいとした上階層操作メニュー画面上の操作メニュー項目を追加表示する画面変更部と、
を有することを特徴とする。
【０００７】
また、本発明の操作メニュー画面切替方法は、
階層順にリンクされて複数の操作メニュー項目が表示される操作メニュー画面を切り替えて表示する表示装置と、
表示装置に表示された操作メニュー画面上の複数の操作メニュー項目のうちから特定の操作メニュー項目を選択入力する入力装置と、
入力装置からの、上階層操作メニュー画面における特定の操作メニュー項目の選択入力操作により、上階層操作メニュー画面から特定の操作メニュー項目にリンクした下階層操作メニュー画面へと切り替えて表示装置に表示させるコントローラと、
を備えた操作メニュー画面切替装置の操作メニュー画面切替方法において、
上階層操作メニュー画面上での誤入力操作を検出したときは、この誤入力した上階層操作メニュー画面上の操作メニュー項目にリンクした下階層操作メニュー画面に、誤入力操作後の再入力操作で正しいとした上階層操作メニュー画面上の操作メニュー項目を追加表示する、
ことを特徴とする。
【発明の効果】
【０００８】
本発明の操作メニュー画面切替装置にあっては、誤入力操作があった場合、その下階層操作メニュー画面に、誤入力操作後の再入力操作で正しいとした上階層操作メニュー画面上の操作メニュー項目を追加表示するようにしたので、この場合に表示する操作メニュー項目数を減らして表示エリアの増大を抑えるとともに、その都度、上階層操作メニュー画面に戻らなくて良くなって再選択操作に時間がかからないようになる。
【０００９】
また、本発明の操作メニュー画面切替方法にあっては、誤入力操作があった場合、その下階層操作メニュー画面に、誤入力操作後の再入力操作で正しいとした上階層操作メニュー画面上の操作メニュー項目を追加表示するようにしたので、この場合に表示する操作メニュー項目数を減らして表示エリアの増大を抑えるとともに、その都度、上階層操作メニュー画面に戻らなくて良くなって再選択操作に時間がかからないようになる。
【図面の簡単な説明】
【００１０】
【図１】本発明に係る実施例１の操作メニュー画面切替装置が適用される車載用ナビゲーション・システムの構成を示すブロック図である。
【図２】実施例１の操作メニュー画面切替装置で実行される誤入力操作時における選択ミス情報を登録保存するためのフローチャートである。
【図３】実施例１の操作メニュー画面切替装置で実行される誤入力操作時における表示を行うためのフローチャートである。
【図４】車載用ナビゲーション・システムの表示装置に表示される、複数の操作メニュー項目を有する上階層画面の表示例を示す図であり、誤って「目的地」を選択して切り替わった下階層画面で「戻る」を選択して上階層画面で「ルート変更」を選択し直す場合の表示画面を説明するための図である。
【図５】所定の収集期間内に所定回数の誤入力操作がなかったと判定されていた場合に「目的地」を選択したときに表示装置に表示される、複数の操作メニュー項目を有する下階層画面の表示例の図である。
【図６】所定の収集期間内に所定回数以上の誤入力操作があったと判定された場合に「目的地」を選択したときに表示装置に表示される、複数の操作メニュー項目を有する下階層の操作メニュー画面の表示例の図である。
【図７】上記誤差入力操作の判定があった場合に、表示装置に表示される、図６の操作メニュー画面とは別の表示を行った下階層の操作メニュー画面の表示例を示す図である。
【図８】所定期間内に誤入力操作が所定回数を下回った場合の、その前の下階層の操作メニュー画面の表示例を示す図である。
【図９】誤入力操作情報を変更／削除するための下階層の操作メニュー画面の表示例を示す図である。
【図１０】図１０の操作メニュー画面で誤入力操作情報を変更／削除を選択操作した際に表示される、下階層の誤入力操作情報変更／削除メニュー画面の表示例を示す図である。
【発明を実施するための最良の形態】
【００１１】
以下、本発明を各実施の態様に基づき説明する。
【実施例１】
【００１２】
以下、本発明の実施の形態を、図面に示す実施例に基づき詳細に説明する。
実施例１では、操作メニュー画面切替装置を車載用ナビゲーション・システムに適用した例を示す。
【００１３】
まず、実施例１の操作メニュー画面切替装置を適用した車載用ナビゲーション・システムの全体の構成を説明する。
図１に示すように、車載用ナビゲーション・システムは、GPSアンテナ１と、方位センサ２と、車速センサ３と、外部記憶装置４と、コントローラ５と、表示装置６と、スピーカー７と、入力装置８と、を有する。
【００１４】
GPSアンテナ１は、現在位置を知るため、衛星軌道上の人工衛星から発射される電波を受信するアンテナである。
方位センサ２は、車両の進行方向を計測するセンサで、地磁気センサあるいは振動ジャイロなどを用いる。
車速センサ３は、タイヤの回転数から車両の速度を検出するセンサである。
【００１５】
外部記憶装置４は、地図情報、信号機やガソリンスタンドなどのランドマーク、各種施設、観光情報、電話番号、住所などの情報を蓄積した、DVD-ROM、ハードディスク、SDカードなどの記憶メディアと、この記憶メディアから必要な情報を読み出す読み出し装置とを有する。
【００１６】
コントローラ５は、CPU、RAM、ROM、入力インターフェイス、出力インターフェイス等を備え、GPSアンテナ１から得た複数の衛星電波から車両の現在位置を演算するとともに、方位センサ２からの方位信号と車速センサ３からの車速信号とに基づき車両の現在位置を演算する。これらの方法でそれぞれ得られた現在位置情報は、一方が他方を補完する形で使用される。コントローラ５は、このようなロケータ機能に加え、入力された目的地までの経路を探索して誘導するナビゲータ機能などの種々の機能を実行するほか、入力装置８への入力に応じて上記各種機能を実行し、その結果を表示装置６へ表示したり、スピーカー７からガイド音声を発したりするように、これらをコントロールする。
【００１７】
表示装置６は、液晶ディスプレイ（LCD）等で構成され、コントローラ５が実行した結果を表示してドライバー等のユーザーに必要な視認情報を与えるものである。
スピーカー７は、コントローラ５で実行した結果を発声してユーザーに必要な音声情報を与えるものである。
入力装置８は、ユーザーがコントローラ５への命令信号を送るためのもので、タッチパネル入力式の表示装置６および／または図示しないリモートコントローラなどで構成される。
【００１８】
なお、上記入力装置、コントローラ５、表示装置６、および外部記憶装置４は、本実施例の操作メニュー画面切替装置をも構成しており、互いにリンクされた階層順の操作メニュー画面のデータを有し、入力装置への入力操作に応じて操作メニュー画面を下階層の操作メニュー画面へと切り替えることができる。また、コントローラ５は、「戻る」入力操作が行われたことを監視する誤入力操作検出部９（本発明の誤入力操作検出手段に相当）と、下階層の操作メニュー画面へ操作メニュー項目を追加・削除する画面変更部１０とを有する。
【００１９】
以上のように構成した車載用ナビゲーション・システムでは、電源が投入されると、表示装置６に初期画面を表示するとともに、GPSアンテナ１、方位センサ２、車速センサ３を用いて、現在位置の測位を開始する。現在位置が分かると、これに合った地図情報が外部記憶装置４から読みだされ、表示装置６に現在位置、この現在位置周りの地図、その他の情報が表示される。
また、ユーザーが入力装置から選択メニューを選択すると、たとえば、図４に示すような操作メニューの画面が表示される。なお、同図中の矢印は後で本実施例の機能を説明するためのものであって、表示装置６に表示されることはない。
【００２０】
このときの操作メニュー画面には、たとえば、「目的地」、「再検索」、「ルート変更」、「案内終了」、「戻る」といった複数の操作メニュー項目が表示される。これらの操作メニュー項目からユーザーが入力装置から選択入力した操作メニュー項目に応じたその下階層の操作メニュー画面が表示される。
【００２１】
たとえば、上階層画面で「目的地」を選択すると、図６の操作メニュー画面が表示される。この操作メニュー画面上の操作メニュー項目からたとえば「住所」を選択し、その下階層の画面（図示せず）に住所を入力して「決定」を入力すると、コントローラ５が外部記憶装置４に蓄積された地図情報等を基に現在地から目的地までの最適な経路を演算し、表示装置６に地図と経路を表示する。そして、現在位置の移動に応じて地図等の表示を変更しながら、誘導経路に沿ってスピーカー７から発せられるガイド音声と誘導経路が表示された地図情報とで、目的地まで車両を誘導する。このようなロケート機能やナビゲート機能は、周知のナビゲーション・システムと同様である。
【００２２】
次に、操作メニュー画面切替装置で実行される誤入力操作情報を登録するためのフローチャートにつき、図２に基づき説明する。なお、図２のフローチャートにあっては、ナビゲーション・システムで行われる上記周知の操作・作用については分かりやすくするため図示を省略して説明だけに留める。
【００２３】
ナビゲーション・システムに電源を投入すると、上記の説明のように、コントローラ５等が起動する。
ここで、図４に示す上階層の操作メニューが表示された画面をユーザーがみて操作すると、この選択入力操作が誤っていなければ、上記で説明したように、所望の操作メニュー項目がある下階層の操作メニュー画面にたどり着き、さらなる正しい入力操作で目的の機能をナビゲーション・システムに発揮させることができるが、初心者や間違った思いこみをしている人などにあっては、誤って操作メニュー項目を選択入力してしまうことがある。
【００２４】
たとえば、図４の操作メニュー画面でこのメニュー項目のうちから矢印Cで示すように「目的地」を選択入力したとする。すると、図５に示すようにその下階層の操作メニュー画面に切り替えられる。この下階層の操作メニュー画面には、「名称」、「電話」、「住所」、「自宅」、「戻る」といった操作メニュー項目が表示されている。ユーザーは、これらの操作メニュー項目をみて所望の操作メニュー項目が見つからないことから、先ほどの操作が誤っていたことが分かり、この下階層の操作メニュー画面上の「戻る」を選択入力して図４に示す先の上階層画面に戻って選択入力を行うことになる。
【００２５】
このとき、コントローラ５では、図２のフローチャートのステップS1にて、上記「戻る」操作の入力を確認し、次いでステップS2で選択ミス項目Ａ（ここでは、「目的地」である）を記憶する。
【００２６】
表示画面が図４の操作メニュー画面に戻ると、ユーザーは改めて矢印Dで示すように「ルート変更」を再選択入力する。この選択入力操作により、その下階層画面（図示せず）に切り替わり、ユーザーがこの画面に表示されている操作メニュー項目のうちから所望の操作メニュー項目を見つけこれを選択すると、ステップS3で、この再選択した作メニュー項目（「ルート変更」）を、とりあえず正しい選択項目Ｂとして記憶する。
【００２７】
ステップS４では、誤入力操作検出部９が、その後「戻る」操作入力がないかを監視し、その操作の有無を判定する。ステップS4で、「戻る」入力操作がなければ（YESの場合）ステップS6へ進み、「戻る」入力操作があれば（NOの場合）ステップS5へ進む。
ステップS5では、その選択したメニュー項目を再選択後の正しい選択項目として一旦記憶し、ステップS3で正しい選択項目Ｂとして記憶する。
一方、ステップS6では、選択項目Ａ、Ｂと同じ項目で記憶されているか否かを判定する。
【００２８】
上記のようにステップS4で「戻る」操作入力の有無を判定するのは、たとえば、上階層の操作メニュー画面で誤って「目的地」を選び、切り替わった下階層画面で入力ミスが分かり「戻る」を選んで上階層の操作メニュー画面に戻ることになる。この場合、操作しようとした入力スイッチの押し間違いだったと思い込み、再び間違って上階層の操作メニュー画面で「目的地」を選択入力して再度同じ下階層の操作メニュー画面が表示されると、その間違いに気づいてまた「戻る」入力操作で上階層画面に戻って「ルート変更」を選んだときなどのように、再選択後に「戻る」入力操作が行われた場合には、その中間の操作履歴の記憶を削除して「目的地」→「戻る」→「ルート変更」の流れがあったものとして選択項目Ａ、Ｂを記憶するためである。
【００２９】
ステップS6では、同じ記憶があれば(YESの場合)ステップＳ７に進み、同じ記憶がなければ(NOの場合)はステップS8に進む。
【００３０】
ステップS7では、選択ミス回数ｍを１だけ増加した（すなわち、ｍ＝ｍ＋１）後、ステップS9に進む。
一方、S8では、選択ミス回数ｍを１とした（ｍ＝１）後、ステップS9へ進む。
【００３１】
ステップS9では、選択ミスの記憶領域に選択項目Ａ、Ｂ、誤入力操作回数ｍをまとめて記憶（上書きもしくは新規保存）し、ステップS10へ進む。
【００３２】
ステップS10では、上記選択項目Ａ、Ｂ、および選択ミス回数ｍの選択ミスのデータを、ｎ番目の誤入力情報を保存するファイルMiss nに記憶して、誤入力操作情報を登録するためのフローチャートを終了する。
【００３３】
なお、上記誤入力操作情報の登録にあたっては、所定の１収集期間（たとえば７日）内で同じ操作メニュー項目につき誤入力操作（「戻り」操作）を所定回数行うと、誤入力操作情報として登録され、その後、画面変更部１０により、その操作メニュー画面の下階層の操作メニュー画面(図５)が変更されて、上記戻り操作で上階層の操作メニュー画面に戻って正しい選択入力をした操作メニュー項目（たとえば「ルート変更」）が追加された図６の画面表示となる。
【００３４】
したがって、その後は、上階層の操作メニュー画面でユーザーが「目的地」を選択入力すると、その下階層の操作メニュー画面（図５）にユーザーが間違い易い「ルート変更」の操作メニュー項目が追加された図６の操作メニュー画面へと切り替わることになる。この結果、ユーザーは正しい選択入力の場合や誤った選択入力の場合にも、「戻る」入力操作を行うことなく、所望の操作メニュー項目を選択入力することが可能となる。なお、上記追加された操作メニュー項目は、後で説明するように下階層の操作メニュー画面上から削除可能である。
【００３５】
上記図６の操作メニュー画面は、操作メニュー項目の追加により、必要な表示エリアが１個分増えるが、たとえば、図７に示すようにもともとあって比較的カテゴリーが近い２つの操作メニュー項目あるいは使用頻度が少ない操作メニュー項目（たとえば、「電話」と「住所」）を一つのエリアにまとめる（「電話／住所」として）ことで、表示エリアが増大するのを防ぐようにしても良い。この場合、「電話／住所」を選択した場合、その下階層の操作メニュー画面で「電話」と「住所」のうちからユーザーが選択入力するように操作メニュー画面が切り替わるようにする。
【００３６】
また、ナビゲーション・システムの稼働中は、ｎ番目の１収集期間前の選択ミスのデータをファイルOld nに格納しておく。さらに、ｎ番目の誤入力表示の使用回数のデータをファイルError nに格納しておく。
【００３７】
次に、同じく操作メニュー画面切替装置で実行される誤入力時の表示を行うためのフローチャートにつき、図３に基づき説明する。
【００３８】
ステップS1１では、図２のフローチャートの実行にて得られた保存ファイルMiss nから現在の１期間中における選択ミス回数Miss n,mを読み出し、ステップS12に進む。
【００３９】
ステップS12では、ｎ番目の誤入力表示の使用回数のデータを記憶したフォルダError nから現在の１期間中における誤入力表示画面の使用回数Error n,mを読み出し、ステップS13へ進む。
【００４０】
ステップS13では、ｎ番目の１収集期間前の選択ミスのデータをファイルOld nから１収集期間前の選択ミスの回数Old n,mを読み出し、ステップS14へ進む。
【００４１】
ステップS14では、現在の誤入力表示画面の使用回数Error n,mが、この１期間前の選択ミスの回数Old n,m以上であるか否かを判定する。以上であれば（YESの場合）ステップS15へ進み、より少なければ（NOの場合）ステップS16へ進む。
【００４２】
ステップS15では、誤入力表示画面（たとえば図６）は変更せずに誤入力操作があると判定された場合には、そのまま下階層の操作メニュー画面として表示装置６に表示して、ステップS17へ進む。
【００４３】
一方、ステップS16では、下階層の操作メニュー画面に追加された上階層の操作メニュー画面中の操作メニュー項目（たとえば図６の「ルート変更」）を図８に示すように消して、ステップS17へ進む。なお、点線で囲った「消える」は、消える位置を明らかにするため便宜上記したもので、画面上に表示されるものではない。以後、同じ誤入力操作が所定回数繰り返されない限りは図６（あるいは図７）の操作メニュー画面は表示されず、図５の操作メニュー画面が表示されるようになる。
【００４４】
ステップS17では、あらかじめ設定した規定回数ｓを読み出し、ステップS18へ進む。規定回数ｓは、これ以上のユーザーによる誤入力操作が１収集期間内にあると、ユーザーの操作習熟度が劣っており、追加表示をした方が良いと考えられる回数に設定する。
【００４５】
ステップS18では、現在の１期間中における選択ミス回数Miss n,mが規定回数ｓ以上であるか否かを判定する。以上であれば（YESの場合）ステップS19へ進み、より少なければ（NOの場合）ステップS20へ進む。
【００４６】
ステップS19では、誤入力情報としてのｎ番目の操作メニュー項目Ａ、Ｂを登録して、下階層の操作メニュー画面に追加して表示するようにし、ステップS21へ進む。
【００４７】
一方、ステップS20では、この収集期間中のデータは誤入力情報として登録することなく、またその追加修正した下階層の操作メニュー画面を作成・表示することなく、ステップS21へ進む。
【００４８】
ステップS21では、誤入力情報で登録されている選択ミス回数を1収集期間前のデータに保存し（Old n = Miss n）、ステップS22へ進む。
【００４９】
ステップS22では、誤入力表示回数と選択ミス回数をリセットして（Miss n = 0, Error n = 0）、図３のフローチャートの実行を終了する。
【００５０】
なお、本実施例では、上記作用に加えて、積極的に誤入力情報を変更あるいは削除する操作メニュー画面を用いるようにしても良い。すなわち、図９に示すように図６の下階層の操作メニュー画面に「誤入力情報変更削除」の操作メニュー項目をあらかじめ追加しておく。この操作メニュー項目をユーザーが選択入力すると、更に下の階層の図１０に示す操作メニュー画面の表示に切り替わるようにする。
この操作メニュー画面には、それまで登録した誤入力情報が表示され、これらを変更あるいは削除することを可能にする。また、収集期間も同時に表示されるので、車両使用の頻度やドライバーに応じてその期間を変更することが可能にしてある。
【００５１】
実施例１の操作メニュー画面切替装置にあっては、ユーザーの誤入力操作(戻り操作)に応じて、誤入力操作により表示された下階層の操作メニュー画面に、誤入力操作を行った上階層画面中の再入力による正しい操作メニュー項目を追加表示するようにしたので、誤入力操作を行ったとき、その下階層の操作メニュー画面に正しい可能性が高い、上階層の操作メニュー画面中の操作メニュー項目のみが追加されるので、下階層の操作メニュー画面に操作メニュー項目を表示するエリアを大幅に増大させる必要はなくなる。
また、下階層の操作メニュー画面上の「戻る」の入力操作から上階層の操作メニュー画面に戻って本来の操作メニュー項目を選択入力し直す必要がなく、間違って切り替えた下階層の操作メニュー画面上で追加された所望の操作メニュー項目を選択入力すれば良いので、再選択入力の工数・時間が低減できる。
【００５２】
また、上記下階層操作メニュー画面への、上階層操作メニュー画面の正しい操作メニュー項目の追加・表示は、所定の収集期間内での誤入力操作の回数をみて行うようにしたので、ユーザーがよく間違え易い操作メニュー項目を選択して追加・表示することができる。なお、この正しい操作メニュー項目の表示は、複数個の表示であっても良い（この場合でも従来技術のように下階層操作メニュー画面の操作メニュー項目すべてを表示する場合より少なくなる）が、一番間違え易い１個だけの表示とするのが望ましい。
【００５３】
また、所定の収集期間内で誤入力操作情報を保存し、その前の情報と比較することで、誤入力操作が少なくなったと判定された場合や、所定の収集期間内で誤入力操作の回数が規定回数より少ないときは、ユーザーの習熟度が高くなったとみなして上記操作メニュー項目の追加・表示をしないようにしたので、ユーザーの習熟度にあった表示画面とすることができ、余計な操作メニュー項目が表示されるのを避けることができる。
また、下階層操作メニュー画面に「誤入力情報変更削除」の操作メニュー項目をあらかじめ追加しておけば、ユーザーの要望に応じた表示画面の設定が可能となる。
【００５４】
以上、本発明を上記各実施例に基づき説明してきたが、本発明はこれらの実施例に限られず、本発明の要旨を逸脱しない範囲で設計変更等があった場合でも、本発明に含まれる。
【００５５】
たとえば、本発明の操作メニュー画面切替装置およびその切替方法は、車載用ナビゲーション・システムに限られず、車載用であれ非車載用であれ、またナビゲーション・システムであれそうでないであれ、階層構造の操作選択メニューを選択させる装置であれば適用することが可能である。
【００５６】
また、操作メニュー画面切替装置の入力装置は、タッチパネル入力式のもの、リモートコントロールに限られず、キーボードなど他の入力装置を用いるようにしてもよい。また、入力は、押圧式スイッチ、回転式スイッチ、ジョイスティックなど種種の形式のものを用いることができる。
また、表示装置としては、LCDに限られず、他の種類の表示装置を用いるようにしてもよい。
【符号の説明】
【００５７】
１    GPSアンテナ
２    方位センサ
３    車速センサ
４    外部記憶装置
５    コントローラ
６    表示装置
７    スピーカー
８    入力装置
９    誤入力操作検出部
１０  画面変更部
【図１】
2012168594.tif 000003
【図２】
2012168594.tif 000004
【図３】
2012168594.tif 000005
【図４】
2012168594.tif 000006
【図５】
2012168594.tif 000007
【図６】
2012168594.tif 000008
【図７】
2012168594.tif 000009
【図８】
2012168594.tif 000010
【図９】
2012168594.tif 000011
【図１０】
2012168594.tif 000012